(57)【要約】【課題】  観察対象物を照らすＬＥＤライトの照射方向を上又は下のいずれかに選択でき、使い勝手を向上させることができる携帯型顕微鏡を提供する。【解決手段】  観察対象物を上から照射する第１のＬＥＤライト１９と、観察対象物を下から照射する光を出力する第２のＬＥＤライト２３とを透過パネル２１、接触スイッチ２５と動作スイッチ２６で切り替え可能とし、観察対象物を下から照射するよう第２のＬＥＤライト２３からの光を導き、観察対象物を下から支える透過パネル２１を設けた携帯型顕微鏡である。【選択図】        図９
2019095793.tif 000002
【特許請求の範囲】
【請求項１】
携帯型の顕微鏡であって、
観察対象物の上から光を照射する第１の光源と、
前記観察対象物の下から照射する光を出力する第２の光源と、
前記第１の光源と前記第２の光源とを切り替えるスイッチと、
前記観察対象物を下から照射するよう前記第２の光源からの光を導き、前記観察対象物を下から支える透過パネルとを有することを特徴とする携帯型顕微鏡。 
【請求項２】
透過パネルは、可動式であって、観察対象物を下から支える位置にあるときは、スイッチが第２の光源に接続し、前記観察対象物を下から支える位置にないときは、前記スイッチが第１の光源に接続することを特徴とする請求項１記載の携帯型顕微鏡。
【請求項３】
透過パネルは、底面の端辺で回転可能に動作するものであることを特徴とする請求項２記載の携帯型顕微鏡。
【請求項４】
顕微鏡の倍率を調整する倍率調整部を備え、
前記倍率調整部が、調整過程において特定倍率で一時的に停止するロック機構を有することを特徴とする請求項１乃至３のいずれか記載の携帯型顕微鏡。
【請求項５】
顕微鏡の焦点を調整する焦点調整部を備えていることを特徴とする請求項１乃至４のいずれか記載の携帯型顕微鏡。
【請求項６】
底面にＵＶライトを備えることを特徴とする請求項１乃至５のいずれか記載の携帯型顕微鏡。
【請求項７】
透過パネルは、観察対象物を下から支える面に滑り止め部を設けたことを特徴とする請求項１乃至６のいずれか記載の携帯型顕微鏡。
【発明の詳細な説明】
【技術分野】
【０００１】
本発明は、携帯型の顕微鏡（ハンディ顕微鏡）に係り、特に、設置したプレパラートの上又は下のいずれかから光を照射できる携帯型顕微鏡に関する。
【背景技術】
【０００２】
［従来の技術］
従来の携帯型顕微鏡は、野外での観察を容易にするために、小型で軽量のものとなっている。特に、近年の携帯型顕微鏡は、ズーム機能を有し、観察対象物に光を当てるＬＥＤ（Light Emitting Diode：発光ダイオード）ライトを備えるものがある。
【０００３】
但し、従来の携帯型顕微鏡では、ＬＥＤライトを観察対象物の上から照射するもので、下から照射するものとはなっていない。観察対象物によっては下から照射した方が観察し易いものがある。
【０００４】
［関連技術］
尚、関連する先行技術として、特許第５９９３４９９号公報「携帯型顕微鏡装置」（特許文献１）、特開２０１７−０３７３０９号公報「顕微鏡モジュール及び顕微鏡装置」（特許文献２）、特開２０１７−１３８５９８号公報「サンプルキャリアモジュール及び携帯型顕微鏡装置」（特許文献３）、特開２０１７−１３８６０３号公報「反射型顕微鏡モジュール及び反射型顕微鏡装置」（特許文献４）、実公昭６１−３６９６８号公報「携帯用の小型顕微鏡」（特許文献５）がある。
【０００５】
特許文献１，３には、スマートフォンに搭載する携帯型顕微鏡であって、スマートフォンで撮影して観察することが示されている。但し、特許文献１では、光源は備えるものの、焦点を合わせる機構を備えていない。
特許文献２には、スマートフォンに取り付ける顕微鏡モジュールが示されている。但し、焦点を調整する機構は備えていない。
【０００６】
特許文献４には、反射型顕微鏡モジュールをクリップ状の取付具で固定する反射型顕微鏡装置が示されている。
特許文献５には、プレパラートを載せて焦点を調整する機能を備える携帯用の小型顕微鏡が示されている。
【先行技術文献】
【特許文献】
【０００７】
【特許文献１】特許第５９９３４９９号公報
【特許文献２】特開２０１７−０３７３０９号公報
【特許文献３】特開２０１７−１３８５９８号公報
【特許文献４】特開２０１７−１３８６０３号公報
【特許文献５】実公昭６１−３６９６８号公報
【発明の概要】
【発明が解決しようとする課題】
【０００８】
しかしながら、従来の携帯型顕微鏡では、観察対象物によってＬＥＤライトの照射方向を上から又は下からに切り替えて観察することができず、更なる使い勝手を向上させる必要があるという問題点があった。
【０００９】
特許文献１〜４では、観察を行うためにはスマートフォンを必要とするため、使い勝手が悪いものとなっている。
特許文献５は、通常の顕微鏡を携帯用に小型にした構成で、観察対象物の下から光を照射するもので、上から光を照射するものとはなっていない。
【００１０】
本発明は上記実情に鑑みて為されたもので、観察対象物を照らすＬＥＤライトの照射方向を上又は下のいずれかに選択でき、使い勝手を向上させることができる携帯型顕微鏡を提供することを目的とする。
【課題を解決するための手段】
【００１１】
上記従来例の問題点を解決するための本発明は、携帯型顕微鏡であって、観察対象物の上から光を照射する第１の光源と、観察対象物の下から照射する光を出力する第２の光源と、第１の光源と第２の光源とを切り替えるスイッチと、観察対象物を下から照射するよう第２の光源からの光を導き、観察対象物を下から支える透過パネルとを有することを特徴とする。
【００１２】
本発明は、上記携帯型顕微鏡において、透過パネルが、可動式であって、観察対象物を下から支える位置にあるときは、スイッチが第２の光源に接続し、観察対象物を下から支える位置にないときは、スイッチが第１の光源に接続することを特徴とする。
【００１３】
本発明は、上記携帯型顕微鏡において、透過パネルが、底面の端辺で回転可能に動作するものであることを特徴とする。
【００１４】
本発明は、上記携帯型顕微鏡において、顕微鏡の倍率を調整する倍率調整部を備え、倍率調整部が、調整過程において特定倍率で一時的に停止するロック機構を有することを特徴とする。
【００１５】
本発明は、上記携帯型顕微鏡において、顕微鏡の焦点を調整する焦点調整部を備えていることを特徴とする。
【００１６】
本発明は、上記携帯型顕微鏡において、底面にＵＶライトを備えることを特徴とする。
【００１７】
本発明は、上記携帯型顕微鏡において、透過パネルが、観察対象物を下から支える面に滑り止め部を設けたことを特徴とする。
【発明の効果】
【００１８】
本発明によれば、第１の光源が、観察対象物の上から光を照射し、第２の光源が、観察対象物の下から照射する光を出力し、スイッチが、第１の光源と第２の光源とを切り替え、透過パネルが、観察対象物を下から照射するよう第２の光源からの光を導き、観察対象物を下から支える携帯型顕微鏡としているので、観察対象物を照らすＬＥＤライトの照射方向を上又は下のいずれかに選択でき、使い勝手を向上させることができる効果がある。
【図面の簡単な説明】
【００１９】
【図１】本顕微鏡の正面図である。
【図２】本顕微鏡の右側面図である。
【図３】本顕微鏡の左側面図である。
【図４】本顕微鏡の背面図である。
【図５】本顕微鏡を底面側から見た概略図である。
【図６】透過ライトパネルを押し上げた右側面図である。
【図７】透過ライトパネルを押し上げた斜視図である。
【図８】本顕微鏡の底面の一部概略図である。
【図９】透過ライトパネルを押し下げた場合の断面説明図である。
【図１０】透過ライトパネルを押し上げた場合の断面説明図である。
【図１１】透過ライトパネルの改良を示す概略図である。
【発明を実施するための形態】
【００２０】
本発明の実施の形態について図面を参照しながら説明する。
［実施の形態の概要］
本発明の実施の形態に係る携帯型顕微鏡は、観察対象物を上から照射する第１の光源と、観察対象物を下から照射する光を出力する第２の光源とをスイッチで切り替え可能とし、観察対象物を下から照射するよう第２の光源からの光を導き、観察対象物を下から支える透過パネルを設けた構成とするものであり、観察対象物を照らすＬＥＤライトの照射方向を上又は下のいずれかに選択でき、使い勝手を向上させることができるものである。
【００２１】
［本顕微鏡：図１〜４］
本発明の実施の形態に係る携帯型顕微鏡（本顕微鏡）について図１〜４を参照しながら説明する。図１は、本顕微鏡の正面図であり、図２は、本顕微鏡の右側面図であり、図３は、本顕微鏡の左側面図であり、図４は、本顕微鏡の背面図である。
本顕微鏡は、略四角柱又は略楕円柱の形状をしており、底面、上面及び背面はほぼ平面となっている。
【００２２】
［正面：図１］
本顕微鏡の正面は、図１に示すように、本体１の上面（平面）に接眼部１１を備え、本体１の上部にズームレバー（倍率調整部）１２を、中央部の下側に焦点調整ダイヤル（焦点調整部）１５を、下部に対物ガイド部１７を、底面に透過ライトパネル（透過パネル）２１を有している。
そして、対物ガイド部１は、レンズ部１８を覆うよう本体１に取り付けられている。
尚、対物ガイド部１７と透過パネル２１は、透明部材、例えば、アクリル樹脂で形成されている。各部の具体的な構成及び機能については後述する。
【００２３】
［右側面：図２］
本顕微鏡の右側面は、図２に示すように、本体１のズームレバー１２の横にＬＥＤライトスイッチ１３が形成され、対物ガイド部１７内に第１のＬＥＤライト１９が形成され、背面には電池蓋１６と、透過パネル２１を底面側から背面側に移動させる回転可動部２０が設けられている。
【００２４】
［左側面：図３］
本顕微鏡の左側面は、図３に示すように、図２と対称的な形状をしており、相違する点は、本体１のズームレバー１２の左側にＵＶ（Ultra Violet）ライトスイッチ１４が設けられている。
ＵＶライトスイッチ１４は、後述するＵＶライト２２を点灯させるためのスイッチである。
【００２５】
［背面：図４］
本顕微鏡の背面は、図４に示すように、下部において回転可動部２０が突出し、上面との接続部分が曲面となっており、それ以外は平面となっている。
背面の中央部分には電池蓋１６が形成されており、その電池蓋１６を取り外すと、電池を出し入れできるようになっている。
【００２６】
［透過パネルの動き：図５〜７］
本顕微鏡における透過パネル２１の動きについて図５〜７を参照しながら説明する。図５は、本顕微鏡を底面側から見た概略図であり、図６は、透過ライトパネルを押し上げた右側面図であり、図７は、透過ライトパネルを押し上げた斜視図である。
透過パネル２１は、その端部が、本体１の背面の下部に形成された回転可動部２０に接続し、底面と背面を接続する辺部分を中心に約２７０°回転し、底面から背面までの間を回転移動できるようになっている。
【００２７】
図５では、底面全体に透過パネル２１が配置された状態を示している。
図６，７では、透過パネル２１が、背面に接触するよう回転可動部２０を中心に回転して移動した（押し上げられた）状態を示している。
尚、図７では、接眼部１１の窪み部分（凹部）が明確に現れている。
【００２８】
ここで、透過パネル２１の機能を簡単に説明する。
第１に、透過パネル２１は、第１のＬＥＤライト１９と第２のＬＥＤライト２３の切り替えスイッチとして動作する。
第２に、透過パネル２１は、第２のＬＥＤライト２３からの光を導入してレンズ部１８側に放出する。
第３に、透過パネル２１は、対物ガイド部１７との間に観察対象物を搭載したプレパラートを挿入できる隙間を形成する。
【００２９】
［底面：図８］
次に、本顕微鏡の透過パネル２１を本体１の背面に押し上げた場合の底面について図８を参照しながら説明する。図８は、底面部の一部概略図である。
底面部は、図８に示すように、本体１の正面側となる円形部分にレンズ部１８が設けられ、背面側に向かって第１の光源となる第１のＬＥＤライト１９、第２の光源となる第２のＬＥＤライト２３、ＵＶライト２２の順で設けられている。
【００３０】
第１のＬＥＤライト１９は、本体１が設置される設置面に対して斜めに形成された傾斜部分に設けられるが、第２のＬＥＤライト２３及びＵＶライト２２は、本体１が設置される設置面に平行な底面（水平面）に設けられる。
【００３１】
［本顕微鏡の各部］
次に、本顕微鏡の各部の構成及び機能について具体的に説明する。
［本体１］
本顕微鏡の本体１は、略四角柱又は略楕円柱の形状をしており、具体的には正面側が円柱になっており、背面側が四角柱となっていて、円柱と四角柱が接続されて一体に形成された形状となっている。
尚、円柱状の部分に、顕微鏡のレンズ部１８が内蔵されている。
【００３２】
［接眼部１１］
接眼部１１は、本体１の上面で正面側に設けられ、レンズ部１８に接続している。レンズ部１８の構造については後述する。
【００３３】
［ズームレバー１２］
ズームレバー（倍率調整部）１２は、倍率を調整（変更）するための外側に突出したレバーであり、右側面から左側面の動作領域を移動可能となっており、その動作領域を移動することで倍率を調整している。そして、そのズームレバー１２の下側に倍率の目盛が印刷されている。
【００３４】
尚、ズームレバー１２は、特定の倍率、例えば、印刷された倍率部分で一時的に動作が停止するロック機能を備えている。具体的には、レバー部分が特定倍率に到達すると、内部で引っ掛かる構成を有するようにすることで実現できる。
【００３５】
［ＬＥＤライトスイッチ１３］
ＬＥＤライトスイッチ１３は、右側面においてズームレバー１２の横に設けられており、当該ＬＥＤライトスイッチ１３を押下するとオンになり、透過パネル２１の位置によって第１のＬＥＤライト１９又は第２のＬＥＤライト２３のいずれかが発光（点灯）し、再度、ＬＥＤライトスイッチ１３を押下するとオフとなり、点灯していたＬＥＤライトが消灯する。
【００３６】
ＬＥＤライトスイッチ１３は、１回目に押すとオンとなり、２回目に押すとオフとなるようにしている。これは、スイッチを押し続ける構成とすると、観察対象物を観察する際に、ズームレバー１２及び焦点調整ダイヤル１５を操作するのが困難となるためである。
【００３７】
具体的には、透過パネル２１が押し下げられて、本体１の底面の位置にあるときには、ＬＥＤライトスイッチ１３がオンになると、第２のＬＥＤライト２３が発光し、透過パネル２１の内部を光が通過して、観察対象物を搭載したプレパラートが設置されている場合には、観察対象物を下側から光を照射することになる。
【００３８】
また、透過パネル２１が押し上げられて、本体１の背面の位置にあるときは、ＬＥＤライトスイッチ１３がオンになると、第１のＬＥＤライト１９が発光し、観察対象物を上から照射することになる。
尚、透過パネル２１が、底面に配置されている以外は、ＬＥＤライトスイッチ１３のオンにより第１のＬＥＤライト１９が発光するものとなっている。
【００３９】
［ＵＶライトスイッチ１４］
ＵＶライトスイッチ１４は、左側面においてズームレバー１２の横に設けられており、当該ＵＶライトスイッチ１４を押下し続けている間のみオンとなり、底面に設けられたＵＶライト２２を点灯し、ＵＶライトスイッチ１４から指を離すと、ＵＶライト２２は消灯する。
ＵＶライト２２は、接眼部１１を覗いて顕微鏡による観察を行うものではないため、節電を考慮してスイッチを押し続けている間をオン状態としたものである。
【００４０】
［焦点調整ダイヤル１５］
焦点調整ダイヤル（焦点調整部）１５は、焦点を調整するためのダイヤルを回転させることによって焦点の調整を行う。焦点調整の操作がし易いように、表面に縦方向の突起（凸部）が複数形成されている。
【００４１】
［電池蓋１６］
電池蓋１６は、スライドさせることで開閉させることができ、本体１の内部には、例えば、単三電池１本を収納できるようになっている。
その電池が、第１のＬＥＤライト１９、ＵＶライト２２及び第２のＬＥＤライト２３の電源となっている。
【００４２】
［対物ガイド部１７］
対物ガイド部１７は、透明素材でレンズ部１８の周囲を囲むように形成されており、本体１の設置面に密着するものである。つまり、観察対象物の上に本顕微鏡を載せて観察する場合には、観察対象物に密着し、観察対象物がプレパラートに搭載されている場合には、プレパラートに接触するものとなる。
【００４３】
［レンズ部１８］
レンズ部１８は、対物ガイド部１７内に突出した形状となっているが、接眼部１１の内部のレンズから突出した先端部まで一連の形状で、ズームレバー１２、焦点調整ダイヤル１５での倍率と焦点の調整に連動して動作するものである。
【００４４】
［第１のＬＥＤライト１９］
第１のＬＥＤライト１９は、対物ガイド部１７内で本体１の傾斜面に形成され、上述したように、透過パネル２１が底面に設置されていない場合に、ＬＥＤライトスイッチ１３をオンすると、発光し、観察対象物を上から照射すると同時に簡易なライトとしても使用可能である。
【００４５】
［回転可動部２０］
回転可動部２０は、透過パネル２１を回転させるための構成であり、本体１の底面と背面との接続部分に回転軸を備えている。透過パネル２１の端辺が回転軸を中心に回転する構成で、その回転動作により透過パネル２１を底面から背面まで回転移動させることができる。
【００４６】
そして、透過パネル２１が、回転可動部２０で回転動作することにより第１のＬＥＤライト１９と第２のＬＥＤライト２３の点灯を切り替えるスイッチとなっている。この切り替えスイッチの詳細な構成及び動作については後述する。
【００４７】
［透過パネル２１］
透過ライトパネル（透過パネル）２１は、透明素材で形成されており、回転可動部２０の回転軸に端辺が接続している。具体的には、透過パネル２１の端辺において回転軸が貫通している。
透過パネル２１は、回転可動部２０の回転軸を中心に回転移動し、押し下げられて底面側に配置され、押し上げられて背面側に配置される。
また、透過パネル２１は、第２のＬＥＤライト２３からの光を内部に導き、観察対象物に向けて照射するものとなっている。透過パネル２１の具体的な構成については後述する。
【００４８】
［ＵＶライト２２］
ＵＶライト２２は、底面に設けられており、紫外線で光るものを探すためのもので、例えば、鉱物、植物又は郵便物のバーコード等がライトの光の照射で光るのを確認できるものである。
ＵＶライト２２は、ＵＶライトスイッチ１４を押下することで発光し、押下を止めると発光を停止するようになっている。
【００４９】
［第２のＬＥＤライト２３］
第２のＬＥＤライト２３は、第１のＬＥＤライト１９とＵＶライト２２との間で底面に設けられている。
第２のＬＥＤライト２３は、透過パネル２１が底面に配置されている場合に、ＬＥＤライトスイッチ１３をオンにすると、発光し、透過パネル２１を介して観察対象物を下から照射する。
【００５０】
［本顕微鏡の操作］
本顕微鏡の操作について観察対象物をプレパラートに搭載して観察を行う場合を簡単に説明する。
観察対象物によってＬＥＤライトを上から照射した方がよいか、下から照射した方がよいかを判断し、上から照射する場合には、透過パネル２１を押し上げて背面側に配置する。
そして、プレパラートの上に本体１の底面を置き、レンズ部１８が観察対象物に向くよう位置合わせ行う。
【００５１】
その後、ＬＥＤライトスイッチ１３をオンにして第１のＬＥＤライト１９を発光させ、ズームレバー１２で倍率を調整し、接眼部１１を覗きながら焦点調整ダイヤル１５で焦点の調整を行い、観察対象物の様子を観察する。
【００５２】
観察対象物を下から照射する場合には、透過パネル２１を押し下げて本体１の底面側に配置し、対物ガイド部１７と透過パネル２１との間に形成される隙間に、プレパラートを差し込み、レンズ部１８が観察対象物に向くよう位置合わせ行う。
【００５３】
その後、ＬＥＤライトスイッチ１３をオンにして第２のＬＥＤライト２３を発光させ、ズームレバー１２で倍率を調整し、接眼部１１を覗きながら焦点調整ダイヤル１５で焦点の調整を行い、観察対象物の様子を観察する。
【００５４】
［ＬＥＤライトの切り替え及び透過パネルの構造：図９，１０］
次に、本顕微鏡における特徴的な内部構造について図９，１０を参照しながら説明する。図９は、透過ライトパネルを押し下げた場合の断面説明図であり、図１０は、透過ライトパネルを押し上げた場合の断面説明図である。
本体１の内部では、電池を搭載する基板２４が設けられ、基板２４に第１のＬＥＤライト１９、ＵＶライト２２及び第２のＬＥＤライト２３が搭載されている。
【００５５】
［ＬＥＤライトの切り替え構造］
更に、基板２４には、接触スイッチ２５が搭載され、そのオン／オフを制御する動作スイッチ２６が内部に形成されている。
接触スイッチ２５は、動作スイッチ２６に押されてオンとなり、電池の電源が第２のＬＥＤライト２３に供給されるよう切り替わり、動作スイッチ２６が離れてオフとなり、電源が第１のＬＥＤライト１９に供給されるよう切り替わる。
【００５６】
動作スイッチ２６は、図９に示すように、三角形の形状をしており、頂点付近の基板２４側の接触面２６ａが接触スイッチ２５に接触することで接触スイッチ２５がオンになる。
動作スイッチ２６は、右下の角部を中心に回転する構成である。動作スイッチ２６の左下の角部は、略水平方向に延長して突出した突出部２６ｂを備えている。
【００５７】
図９に示すように、透過パネル２１が底面の位置にあるときは、動作スイッチ２６の突出部２６ｂが透過パネル２１の回転可動部２０側で押し上げられて、動作スイッチ２６が右側に傾き、接触面２６ａが接触スイッチ２５に接触し、接触スイッチ２５がオンとなり、第２のＬＥＤライト２３側に切り替わる。つまり、ＬＥＤライトスイッチ１３がオンになると、第２のＬＥＤライト２３が点灯することになる。
【００５８】
尚、接触スイッチ２５は、動作スイッチ２６が軽く接触しただけではオンにはならず、透過パネル２１が底面に配置された状態になると、動作スイッチ２６が強く接触してオンになるものである。
【００５９】
また、図１０に示すように、透過パネル２１が背面の位置にあるときは、動作スイッチ２６の突出部２６ｂが透過パネル２１によって押し上げられなくなるので、突出部２６ｂが水平に戻って、接触面２６ａが接触スイッチ２５から離れることになり、接触スイッチ２５がオフとなり、第１のＬＥＤライト１９側に切り替わる。つまり、ＬＥＤライトスイッチ１３がオンになると、第１のＬＥＤライト１９が点灯することになる。
【００６０】
［透過パネルの構造］
透過パネル２１は、図９に示すように、底面側に位置するときに、対物ガイド部１７との間に、隙間が形成されるようになっている。その隙間に観察対象物が搭載されたプレパラートを挿入することができ、観察対象物を下から支えるようになっている。
また、透過パネル２１は、図９に示すように、第２のＬＥＤライト２３の真下ではなく、回転可動部２０側に寄った位置の裏面に溝（第１の凹部）２１ａが形成されている。
【００６１】
第１の凹部２１ａは、Ｖ字形状で、透過パネル２１の幅全体に亘って形成されるのではなく、透過パネル２１の短辺に並行に中心部分に細長く形成されている。但し、当該凹部の最も深い部分は少し平らになっている。透過パネル２１の裏面に形成されたＶ字形状（図９では逆Ｖ字形状）の斜面上に第２のＬＥＤライト２３が位置するようになっている。
第２のＬＥＤライト２３から発光された光は、透過パネル２１の第１の凹部２１ａの斜面で反射して透過パネル２１の内部に導かれる。
【００６２】
更に、レンズ部１８の略真下の位置にも、透過パネル２１の裏面に同様のＶ字形状の溝（第２の凹部）２１ｂが形成されている。当該凹部も透過パネル２１の短辺に並行に細長く形成されている。具体的には、第２の凹部２１ｂの右上がり斜面がレンズ部１８の真下となるようになっている。
透過パネル２１内に導かれた第２のＬＥＤライト２３からの光は、第２の凹部２１ｂの斜面で反射されてレンズ部１８側に放出され、観察対象物の下から光を照射するものとなっている。
【００６３】
［透過パネルの改良：図１１］
次に、本顕微鏡における透過パネルの改良について図１１を参照しながら説明する。図１１は、透過ライトパネルの改良を示す概略図である。図１１では、本体１を横倒し、透過ライトパネル（透過パネル）２１を本体１の底面に移動させる途中を示している。
改良に係る透過パネル２1は、図１１に示すように、押し下げられて対物ガイド１７に対向する面の周囲にＵ字状にプレパラートの滑り止め部２１ｃが形成されている。ここで、滑り止め部２１ｃは、分かり易くするために黒色で表示しているが、実際は透明又は半透明となっている。
尚、図１１に示す滑り止め部２１ｃのＵ字状の線の幅をより広くした形状としてもよい。
【００６４】
滑り止め部２１ｃは、ポリウレタンの材料となる樹脂を印刷処理することで形成されるものである。具体的には、ポリウレタン用の樹脂の材料としては、ポリウレタン用ポリオールであり、例えば、ポリエステルポリオール、ポリエーテルポリオール、ポリマーポリオール等を用いている。特に、本顕微鏡では、アジピン酸等の二塩基酸とエチレングリコール等の多価アルコールを縮合させ、末端を水酸基とした化合物で、分子量もある程度自由に変えることができるポリエステルポリオールを用いている。
【００６５】
透過パネル２１において、観察対象物を下から支える面に滑り止め部２１ｃを形成したことにより、対物ガイド１７と押し下げられた透過ライト２１との間にプレパラートが挿入された場合に、観察者が本顕微鏡に誤って触れてしまっても、透過パネル２１上のプレパラートが簡単にずれて動いてしまうことがなく、安定して観察を行うことができる効果がある。
【００６６】
［実施の形態の効果］
本顕微鏡によれば、観察対象物を上から照射する第１のＬＥＤライト１９と、観察対象物を下から照射する光を出力する第２のＬＥＤライト２３とを透過パネル２１、接触スイッチ２５と動作スイッチ２６で切り替え可能とし、観察対象物を下から照射するよう第２のＬＥＤライト２３からの光を導き、観察対象物を下から支える透過パネル２１を設けたものであり、観察対象物を照らす光の照射方向を上又は下のいずれかに選択でき、使い勝手を向上させることができる効果がある。
【産業上の利用可能性】
【００６７】
本発明は、観察対象物を照らすＬＥＤライトの照射方向を上又は下のいずれかに選択でき、使い勝手を向上させることができる携帯型顕微鏡に好適である。
【符号の説明】
【００６８】
１…本体、  １１…接眼部、  １２…ズームレバー（倍率調整部）、  １３…ＬＥＤライトスイッチ、１４…ＵＶライトスイッチ、  １５…焦点調整ダイヤル（焦点調整部）、  １６…電池蓋、  １７…対物ガイド部、  １８…レンズ部、  １９…第１のＬＥＤライト、  ２０…回転可動部、  ２１…透過ライトパネル（透過パネル）、  ２１ａ…第１の凹部、  ２１ｂ…第２の凹部、  ２１ｃ…滑り止め部、  ２２…ＵＶライト、  ２３…第２のＬＥＤライト、  ２４…基板、  ２５…接触スイッチ、  ２６…動作スイッチ、  ２６ａ…接触面、  ２６ｂ…突出部
【図１】
2019095793.tif 000003
【図２】
2019095793.tif 000004
【図３】
2019095793.tif 000005
【図４】
2019095793.tif 000006
【図５】
2019095793.tif 000007
【図６】
2019095793.tif 000008
【図７】
2019095793.tif 000009
【図８】
2019095793.tif 000010
【図９】
2019095793.tif 000011
【図１０】
2019095793.tif 000012
【図１１】
2019095793.tif 000013